(57)【要約】      （修正有）【課題】書き込んで使用することが可能であるとともに、企業から発信される情報の提供をも可能にする。【解決手段】表面には、綴じ代１２と表面の縁部（ルーズリーフ紙１の縁部１ａ、１ｂ、１ｄ）とで囲まれた表面に書き込みが可能な書き込み欄が設けられており、裏面には、企業の情報を記載するための企業情報欄２４が設けられ、表面から裏面を貫通する複数の孔１１が、表面及び裏面の長手方向の一方の端部（ルーズリーフ紙１の縁部１ｃ）に沿って一列に設けられて綴じ代１２を形成し、綴じ代１２がファイルに対して抜き差し可能であるルーズリーフ紙１を提供する。【選択図】図１
0003141087.tif 000002
【実用新案登録請求の範囲】
【請求項１】
表面から裏面を貫通する複数の孔が、前記表面及び前記裏面の長手方向の一方の端部に沿って一列に設けられて綴じ代を形成し、前記前記綴じ代である前記複数の孔を、ファイルに綴じることで、前記ファイルにおいて前記表面及び前記裏面の長手方向の他方の端部側を前記表面及び前記裏面の長手方向の一方の端部を中心にして回動することが可能であるとともに、前記綴じ代である前記複数の孔により前記ファイルに対して抜き差し可能であるルーズリーフ紙において、
前記表面には、前記綴じ代と前記表面の縁部とで囲まれた前記表面に書き込みが可能な書き込み欄が設けられており、
前記裏面には、企業からの情報を記載するための企業情報欄が設けられていることを特徴するルーズリーフ紙。
【請求項２】
前記裏面には、塗料を塗布することにより商品名称欄と企業広告欄とからなる前記企業情報欄を形成し、前記企業情報欄内では、前記商品名称欄より前記企業広告欄の方が領域が大きく、前記商品名称欄は、前記裏面の長手方向のいずれかの端部側に設けられていることを特徴とする請求項１に記載のルーズリーフ紙。
【請求項３】
前記裏面の、塗料を塗布することで形成された前記商品名称欄には、前記商品名称欄を形成する前記塗料の色彩とは異なる他の色彩の塗料により前記商品名称欄に記載される文字を形成することを特徴とする請求項２に記載のルーズリーフ紙。
【請求項４】
商品名称欄を形成する塗料と商品名称欄に記載される文字等を形成する塗料との内いずれか一方は蛍光塗料であることを特徴する請求項２又は３に記載のルーズリーフ紙。
【請求項５】
表面から裏面を貫通する複数の孔が、前記表面及び前記裏面の長手方向の一方の端部に沿って一列に設けられて綴じ代を形成し、前記前記綴じ代である前記複数の孔を、ファイルに綴じることで、前記ファイルにおいて前記表面及び前記裏面の長手方向の他方の端部側を前記表面及び前記裏面の長手方向の一方の端部を中心にして回動することが可能であるとともに、前記綴じ代である前記複数の孔により前記ファイルに対して抜き差し可能であるルーズリーフ紙において、
前記表面には、前記綴じ代と前記表面の縁部とで囲まれた前記表面に書き込みが可能な書き込み欄が設けられており、
前記裏面には、塗料を塗布することにより商品名称欄と企業広告欄とからなる企業情報欄を形成し、前記企業情報欄内では、前記商品名称欄より前記企業広告欄の方が領域が大きく、前記商品名称欄は、前記裏面の長手方向のいずれかの端部側に設けられ、
前記商品名称欄に記載された前記文字は、前記裏面より突出した凸状部として形成されていることを特徴とするルーズリーフ紙。
【請求項６】
表面から裏面を貫通する複数の孔が、前記表面及び前記裏面の長手方向の一方の端部に沿って一列に設けられて綴じ代を形成し、前記前記綴じ代である前記複数の孔を、ファイルに綴じることで、前記ファイルにおいて前記表面及び前記裏面の長手方向の他方の端部側を前記表面及び前記裏面の長手方向の一方の端部を中心にして回動することが可能であるとともに、前記綴じ代である前記複数の孔により前記ファイルに対して抜き差し可能であるルーズリーフ紙において、
前記表面及び前記裏面には、前記表面及び前記裏面の長手方向のいずれかの端部側に塗料を塗布することにより、企業からの情報を記載するための企業情報欄が設けられ、
前記表面及び前記裏面の、前記綴じ代、前記表面及び前記裏面の縁部、及び前記企業情報欄で囲まれた前記表面及び前記裏面に書き込みが可能な書き込み欄が設けられていることを特徴とするルーズリーフ紙。
【請求項７】
前記表面の前記書き込み欄には、前記表面の長手方向を横断する方向に罫線が設けられ、前記表面の長手方向を横断する方向に設けられた前記罫線同士で挟まれた空欄は６．５ｍｍ間隔で、前記表面の長手方向を横断する方向に３５設けられていることを特徴とする請求項１、５、又は６のいずれかに記載のルーズリーフ紙。
【考案の詳細な説明】
【技術分野】
【０００１】
本考案は、ファイル等に綴じたり、外したりすることが可能なルーズリーフ紙に関する。
【背景技術】
【０００２】
最近では、学校等に設置されている複写機に用いるコピー用紙として、企業による広告が予め記載された用紙が用いられ、その用紙でコピーをとる場合には複写機によるコピー代を無償にするということが行われている。しかしながら、コピーした部分の使用が済むと、例えば、試験等の資料としての役目が終わると、そのコピー用紙は捨てられしまうのが一般的である。特に、コピーしたコピー用紙の枚数が多いと、企業による広告について一度は目を通しても、どこかに紛れたり、別のものと一緒に捨てられたりして、再度その広告が記載されたコピー用紙を見つけることは難しい。
【０００３】
つまり、用紙である紙等に記載された広告は、一度目を通されると捨てられてしまうか、どこかに乱雑に片付けられてしまうというのが一般的である。そのため、時間が経ってから、あの広告をもう一度見たいと思ってもその広告が記載された紙等が見つからないということはよくあることである。そのようなことを防ぐために、図８には、次のような技術が開示されている。広告が記載された紙（用紙）１００の裏面の上部に着脱可能なシール２００を付けてシール２００に付いている紙３００をはがして冷蔵庫などの壁面にはりつけておく。そして、シール２００は着脱可能であるため、例えば、広告期間が過ぎればはがして捨てることができる（特許文献１）、という技術が開示されている。
【特許文献１】実用新案登録第３０５７４５３号
【考案の開示】
【考案が解決しようとする課題】
【０００４】
しかしながら、特許文献１に示す技術では、あくまで物の壁面、例えば、冷蔵庫の壁面に広告が記載された紙（用紙）を貼り付けておくということが前提になっており、冷蔵庫等へ貼り付けるという作業が必要になる。また、冷蔵庫等へ広告が記載された紙（用紙）をすぐに貼り付けばよいが、別の事を先に終えてから貼り付けようとすると、広告が記載された紙（用紙）をどこに置いたかわからなくなるということは誰でも経験のあることである。さらに、居室内の冷蔵庫等に広告が記載された紙（用紙）を貼り付けるということは、居室内といえども居室内の美観を損ねる可能性が高い。
【０００５】
また、居室内に広告が記載された紙（用紙）（情報）が蓄積されていっても居室内を活動の中心とする主婦等にとっては、広告が記載された紙（用紙）の有効活用が可能かもしれないが、居室外を活動の中心とする学生等にとっては、必ずしも有効活用できるとは限らない。つまり、居室外を活動の中心とする学生等は、必要な情報を活動の中心とする居室外で得て即座に行動に移せることを望んでいる。そのため、企業から発信される情報（広告）は、居室外を活動の中心とする学生等の身近なところにある方が望ましい。
【０００６】
さらに、学生等の身近なところにあるものとしては、コピー用紙というものもあるが、学生等がコピー用紙を使用するのが、テスト等の時期とそうでない時期で利用状況が異なってくる。そのため、コピー用紙に企業からの情報を掲載してもテスト等ではない時期には、企業からの情報が記載されたコピー用紙が学生等に渡らず企業からの情報が充分に学生等に浸透し難かった。
【０００７】
本考案は、上記の事情に鑑みなされたものであり、居室外を活動の中心とする学生等に対して、書き込んで使用することが可能であるとともに、企業から発信される情報の提供をも可能とする、学生等の身近な持ち物であるルーズリーフ紙を提供することを目的とする。
【課題を解決するための手段】
【０００８】
上記の目的を達成するために、請求項１に記載の考案は、表面から裏面を貫通する複数の孔が、前記表面及び前記裏面の長手方向の一方の端部に沿って一列に設けられて綴じ代を形成し、前記前記綴じ代である前記複数の孔を、ファイルに綴じることで、前記ファイルにおいて前記表面及び前記裏面の長手方向の他方の端部側を前記表面及び前記裏面の長手方向の一方の端部を中心にして回動することが可能であるとともに、前記綴じ代である前記複数の孔により前記ファイルに対して抜き差し可能であるルーズリーフ紙において、前記表面には、前記綴じ代と前記表面の縁部とで囲まれた前記表面に書き込みが可能な書き込み欄が設けられており、前記裏面には、企業からの情報を記載するための企業情報欄が設けられていることを特徴する。
【０００９】
従って、請求項１に記載の考案によれば、ルーズリーフ紙の表面全面にわたり書き込みが可能な書き込み欄が設けられており、そのルーズリーフ紙の裏面には、企業からの情報を記載するための企業情報欄が設けられているため、ルーズリーフ紙の表面では本来のルーズリーフ紙の機能であるノートのように書き込むことが可能であるとともに、ルーズリーフ紙の裏面では企業情報が記載され、ルーズリーフ紙を使用する者に企業情報の提供を行うことが可能になる。
【００１０】
また、請求項２に記載の考案は、請求項１に記載の構成に加え、前記裏面には、塗料を塗布することにより商品名称欄と企業広告欄とからなる前記企業情報欄を形成し、前記企業情報欄内では、前記商品名称欄より前記企業広告欄の方が領域が大きく、前記商品名称欄は、前記裏面の長手方向のいずれかの端部側に設けられていることを特徴とする。
【００１１】
従って、請求項２に記載の考案によれば、ルーズリーフ紙の裏面は塗料を塗布することにより企業情報欄が構成され、その塗料の塗布により（例えば、異なる色彩の塗料の塗布により、或いは同じ色彩でも明度（又は彩度）が異なる塗料の塗布により）企業情報欄が商品名称欄（であるサービス名称記入欄）と企業広告欄とに分けられることになり、商品名称欄には文字等を記載することが可能になるとともに、企業広告欄には、企業がルーズリーフ紙を使用する者に伝えたい情報を記載（掲載）することが可能になる。また、商品名称欄と企業広告欄とでは前記商品名称欄より前記企業広告欄の方が企業情報欄内での領域が大きいため、文字等を記載する（ルーズリーフ紙の名称等のみを記載する）商品名称欄に比べ企業広告欄の方は企業広告としての多くの情報の記載が可能になる。
【００１２】
さらに、ルーズリーフ紙の裏面の商品名称欄は、裏面の長手方向のいずれかの端部側に設けられているため、商品名称欄以外の裏面内は企業広告欄となり、企業の情報を充分に記載することが可能になるとともに、商品名称欄は裏面の長手方向のいずれかの端部側に設けられることでも、商品名称欄に記載された文字等（ルーズリーフ紙の名称等）をルーズリーフ紙を使用する者に示すことが可能になる。
【００１３】
また、企業情報欄の、商品名称欄と企業広告欄と形成に際し、商品名称欄、或いは企業広告欄のいずれか一方に塗料を塗布することで企業情報欄を形成することも可能である。つまり、商品名称欄を、塗料を塗布することで形成し、企業広告欄には塗料を塗布せずにそのままで企業広告欄として企業情報欄を形成することも可能である。
【００１４】
さらに、請求項３に記載の考案は、請求項２に記載の構成に加え、前記裏面の、塗料を塗布することで形成された前記商品名称欄には、前記商品名称欄を形成する前記塗料の色彩とは異なる他の色彩の塗料により前記商品名称欄に記載される文字を形成することを特徴とする。
【００１５】
従って、請求項３に記載の考案によれば、商品名称欄を形成するために塗布した塗料の色彩とは異なる他の色彩の塗料を用いることで、商品名称欄に記載する文字を形成しているので、商品名称欄に記載された文字を読み易くすることが可能になる。
【００１６】
また、請求項４に記載の考案は、請求項２又は３に記載の構成に加え、商品名称欄を形成する塗料と商品名称欄に記載される文字等を形成する塗料との内いずれか一方は蛍光塗料であることを特徴する。
【００１７】
さらに、請求項４に記載の考案によれば、商品名称欄を形成する塗料を蛍光塗料としたり、逆に商品名称欄に記載される文字等を形成する塗料を蛍光塗料で形成したりすることにより、暗い場所においても本考案であるルーズリーフ紙を目立たせることが可能になり、本考案のルーズリーフ紙と他のルーズリーフ紙の識別を容易にすることが可能になる。
【００１８】
また、請求項５に記載の考案は、表面から裏面を貫通する複数の孔が、前記表面及び前記裏面の長手方向の一方の端部に沿って一列に設けられて綴じ代を形成し、前記前記綴じ代である前記複数の孔を、ファイルに綴じることで、前記ファイルにおいて前記表面及び前記裏面の長手方向の他方の端部側を前記表面及び前記裏面の長手方向の一方の端部を中心にして回動することが可能であるとともに、前記綴じ代である前記複数の孔により前記ファイルに対して抜き差し可能であるルーズリーフ紙において、前記表面には、前記綴じ代と前記表面の縁部とで囲まれた前記表面に書き込みが可能な書き込み欄が設けられており、前記裏面には、塗料を塗布することにより商品名称欄と企業広告欄とからなる企業情報欄を形成し、前記企業情報欄内では、前記商品名称欄より前記企業広告欄の方が領域が大きく、前記商品名称欄は、前記裏面の長手方向のいずれかの端部側に設けられ、前記商品名称欄に記載された前記文字は、前記裏面より突出した凸状部として形成されていることを特徴とする。
【００１９】
従って、請求項５に記載の考案によれば、ルーズリーフ紙の裏面の企業情報欄の商品名称欄に記載される文字が裏面より突出した凸状部として形成されているため、目で見て商品名称欄の文字がわかるだけではなく、ルーズリーフ紙に触れることでも商品名称欄の文字を認識することが可能になる。
【００２０】
さらに、請求項６に記載の考案は、表面から裏面を貫通する複数の孔が、前記表面及び前記裏面の長手方向の一方の端部に沿って一列に設けられて綴じ代を形成し、前記前記綴じ代である前記複数の孔を、ファイルに綴じることで、前記ファイルにおいて前記表面及び前記裏面の長手方向の他方の端部側を前記表面及び前記裏面の長手方向の一方の端部を中心にして回動することが可能であるとともに、前記綴じ代である前記複数の孔により前記ファイルに対して抜き差し可能であるルーズリーフ紙において、前記表面及び前記裏面には、前記表面及び前記裏面の長手方向のいずれかの端部側に塗料を塗布することにより、企業からの情報を記載するための企業情報欄が設けられ、前記表面及び前記裏面の、前記綴じ代、前記表面及び前記裏面の縁部、及び前記企業情報欄で囲まれた前記表面及び前記裏面に書き込みが可能な書き込み欄が設けられていることを特徴とする。
【００２１】
従って、請求項６に記載の考案によれば、ルーズリーフ紙の表面及び裏面には、表面及び裏面の長手方向のいずれかの端部側（ルーズリーフ紙の上部側、或いは下部側）に塗料を塗布することにより、企業からの情報を記載するための企業情報欄である、商品名称欄、或いは企業広告欄が設けられ、ルーズリーフ紙の表面及び前記裏面の、綴じ代、表面及び裏面の縁部、及び企業情報欄で囲まれた部分である、企業広告欄以外の表面及び裏面には書き込み可能な書き込み欄が設けられているため、ルーズリーフ紙の表面及び裏面が書き込み可能になるとともに、商品名称欄、或いは企業広告欄と書き込み欄が同じ面（表面及び裏面）にあるので、ルーズリーフ紙を使用する者はルーズリーフ紙の表面なり裏面なりから企業からの情報を得ることが可能になる。
【００２２】
また、請求項７に記載の考案は、請求項１、５、又は６のいずれかに記載の構成に加え、前記表面の前記書き込み欄には、前記表面の長手方向を横断する方向に罫線が設けられ、前記表面の長手方向を横断する方向に設けられた前記罫線同士で挟まれた空欄は６．５ｍｍ間隔で、前記表面の長手方向を横断する方向に３５設けられていることを特徴とする。
【００２３】
従って、請求項７に記載の考案によれば、ルーズリーフ紙の表面の書き込み欄には、表面の長手方向を横断する方向に罫線が設けられ、罫線同士の間隔が６．５ｍｍであり、そして、その間隔（６．５ｍｍ）で空欄（空行）が３５設けられているため、文字等を書く際には書き易くすることが可能になり、また、そのルーズリーフ紙の書き込み欄に書かれた文字等を読む際には読み易くなることが可能になる。
【００２４】
つまり、ルーズリーフ紙の一方の面（表面、或いは裏面）に企業からの情報（企業広告欄）が掲載されている場合には、ルーズリーフ紙を使用する者はルーズリーフ紙をひっくり返す（反転）させるという作業を行い（ファイルにルーズリーフ紙が綴じられている場合には、ルーズリーフ紙を捲り書き込み欄が設けられている表面とは反対の裏面側にひっくり返す（反転）させるという作業を行い）、自分が必要とする企業からの情報を探さなければならなかったが、ルーズリーフ紙の表面及び裏面に企業からの情報（企業広告欄）が掲載されているので自分が必要とする企業からの情報を探すために、ルーズリーフ紙をひっくり返す（反転）させるという作業を不要にすることが可能になる。
【考案の効果】
【００２５】
本考案によれば、ルーズリーフ紙の表面は書き込み欄が形成されており、自由に書き込むことができるとともに、ルーズリーフ紙の裏面は企業情報欄として企業からの情報が記載（掲載）されているので、ルーズリーフ紙を使用する者にとって有益な情報を得ることができる。
【００２６】
また、ルーズリーフ紙の裏面に情報を記載しようとする企業と協賛してルーズリーフ紙を作成することで、ルーズリーフ紙を使用する者、例えば、学生に無償で配布するということもできる。さらに、ルーズリーフ紙はコピー用紙とは異なり、テスト等が終われば廃棄されてしまうことなく学生等が長い間持ち続ける傾向があり、学生等が通常持ち歩くルーズリーフ紙に企業から発信される情報が記載されていれば、居室外を活動の中心とする学生等にとって、ルーズリーフ紙より必要な情報を得れればその情報に基づいて即座に行動を起こすことができる。
【考案を実施するための最良の形態】
【００２７】
以下、本考案を実施するための最良の形態について図面を参照して説明する。
【００２８】
本考案であるルーズリーフ紙１は、一般的に使用頻度の高いＡ４サイズの大きさであり、矩形形状である長方形の形状をなしている。図１に示すように、ルーズリーフ紙１の長手方向の縁部１ｃ、１ｄは互いに対向して平行になっており、長手方向の縁部１ｃ、１ｄを横断するように伸びている縁部１ａ、１ｂも互いに対向して平行になっている。ルーズリーフ紙１の一方の長手方向側の端部１ｃに沿って、一列に設けられた表面３から裏面２を貫通する複数の孔１１がルーズリーフ紙１の綴じ代１２を形成している。
【００２９】
図１には、本考案であるルーズリーフ紙１の裏面２が示されている。裏面２は、ルーズリーフ紙１を図１（ａ）に示すように、矢印Ｂ方向に沿って右側で縦方向（矢印Ａ方向）に、表面３及び裏面２の長手方向の一方の端部１ｃに沿って、一列に表面３から裏面２を貫通する複数の孔１１である綴じ代１２が設けられている状態である。図１では、複数の孔１１は円形形状をなしているが、円形形状に限定されることなく矩形形状であってもよい。
【００３０】
そして、この綴じ代１２を形成している複数の孔１１を、図５に示すファイル５の開閉可能なリング状の金具５１を開状態（リング状の金具５１が開いて切り欠いた状態）にして、ルーズリーフ紙１の複数の孔１１を開状態のリング状の金具５１に通して、リング状の金具５１を閉状態（リング状の金具５１の開いて切り欠いた状態から閉じて連続したリング状の状態）にしてルーズリーフ紙１を図５に示すファイル５に綴じることになる。このように、図５に示すファイル５のリング状の金具５１を開状態、或いは閉状態にすることでルーズリーフ紙１の抜き差しを自由に行えることになる（ルーズリーフ紙１を綴じたり、外したりすることが自由に行えることになる）。
【００３１】
そして、裏面２には、企業の情報を記載するための企業情報欄２４が設けられている。企業情報欄２４は、図１（ａ）に示すように、裏面全面に設けられており、商品名称欄２１と企業広告欄２２とから構成されている。そして、図１（ａ）に示すように、ルーズリーフ紙１の長手方向の縁部１ｃ、１ｄを横断するように伸びている縁部１ａ側である、裏面２の上部には、サービス名称記入欄である商品名称欄２１が形成されている。商品名称欄２１は、図１に示すように、ルーズリーフ紙１の裏面２の縁部１ａ側に塗料を塗布することで、塗料が塗布された裏面２の領域が商品名称欄２１として形成されている。
【００３２】
図１（ｂ）に示すように、本例での、ルーズリーフ紙１の縁部１ａ側に設けられた商品名称欄２１の大きさは、例えば、商品名称欄２１に記載される商品であるルーズリーフ紙１を他のルーズリーフ紙から識別するために使用する文字等の字数やデザイン（絵柄等を含む）等の大きさを考慮して決定される。そのため、字数やデザイン（絵柄等を含む）等により商品名称欄２１の大きさも変わってくる。そして、商品名称欄２１には、読み易さ等を考慮して、商品名称欄２１を形成した塗料の色彩とは異なる他の色彩の塗料の塗布により、商品名称欄２１に記載される文字が記載（形成）される。
【００３３】
図１（ｂ）に示すように、商品名称欄２１に記載されている文字、本例では、「ＸＹＺ」の文字２１ａは、商品名称欄２１を形成した塗料の色彩とは異なる他の色彩の塗料を塗布することで形成している。商品名称欄２１を形成した塗料の色彩と商品名称欄２１に記載される文字２１ａを形成した塗料の色彩とを異ならせることで商品名称欄２１に記載される文字２１ａを目立たせることが可能になる。
【００３４】
例えば、商品名称欄２１を淡い紫色の塗料で塗布して形成し、商品名称欄２１に記載される文字２１ａを赤色の塗料で塗布して形成するという構成である。さらに、商品名称欄２１を形成した塗料と異なる他の塗料で商品名称欄２１に記載される文字等を形成することも可能である。例えば、商品名称欄２１を形成する塗料を蛍光塗料としたり、逆に商品名称欄２１に記載される文字等を形成する塗料を蛍光塗料で形成したりすることも可能である。
【００３５】
そして、商品名称欄２１を形成するために塗布した塗料の色彩とは異なる他の色彩の塗料をルーズリーフ紙１の裏面２の縁部１ｂ側へ塗布することで企業広告欄２２が形成されている。図１（ａ）に示すように、企業情報欄２４内では、商品名称欄２１より企業広告欄２２の方が領域が大きく形成されている。また、塗料が塗布されて形成され商品名称欄２１と、商品名称欄２１を形成するための塗料の色彩とは異なる他の色彩の塗料が塗布されて形成された企業広告欄２２との境目に仕切線２３が形成されることになる。
【００３６】
また、本例の商品名称欄２１はルーズリーフ紙１の縁部１ａ、１ｂに平行に仕切線２３が形成されていることから、長方形の形状になっているが、このように帯状の長方形に限定されない。例えば、図２（ａ）に示すように、ルーズリーフ紙１の縁部１ａ、１ｂに傾斜して仕切線２３を形成することも可能である。つまり、商品名称欄２１及び企業広告欄２２を形成するそれぞれの塗料を塗布する際に、商品名称欄２１及び企業広告欄２２がそれぞれ傾斜するように塗料を塗布して形成することになる。
【００３７】
また、図２（ｂ）に示すように、曲線の仕切線２３を形成することも可能である。この場合には、商品名称欄２１及び企業広告欄２２を塗料にて形成する際に商品名称欄２１と企業広告欄２２との境目が曲線となるように塗料を塗布することになる。このように、仕切線２３を傾斜させたり、曲線にしたりするのは、企業情報欄２４（商品名称欄２１及び企業広告欄２２）に記載される字数（文字等）やデザイン（絵柄等を含む）等が読み手に強い印象を与えられるようにするためである。
【００３８】
さらに、図４に示すように、商品名称欄２１に記載される文字２１ａを裏面２より突出した凸状部２１ｂとして形成することも可能である。つまり、ルーズリーフ紙１の名称である、例えば「ＸＹＺ」という商品名称欄２１の文字２１ａはルーズリーフ紙１から突出した状態にあり、目で見てわかるだけではなく、ルーズリーフ紙１の裏面２に触れることによってでも本考案のルーズリーフ紙１であることを認識することが可能になっている。
【００３９】
そして、凸状部２１ｂである、ルーズリーフ紙１の裏面２の商品名称欄２１の「ＸＹＺ」の文字２１ａは、裏面２よりあまり突出してしまうとルーズリーフ紙１同士を重ね合わせた際にルーズリーフ紙１同士をうまく重ね合わせることができず出っ張る部分が生じてしまう。そのため、商品名称欄２１に記載される文字２１ａを裏面２より突出した凸状部２１ｂとして形成したルーズリーフ紙１を用いる場合には、少ない枚数でファイルで抜き差しすることになる。
【００４０】
なお、凸状部２１ｂは、裏面２より１ｍｍ程度突出させることになる。また、この凸状部２１ｂは、例えば「ＸＹＺ」という文字を形成する塗料により、その塗料を「ＸＹＺ」という文字の部分に厚く塗布することで形成することになる。ただし、紙等の薄い部材を「ＸＹＺ」という文字の上に重ね合わせて接着することで凸状部２１ｂを形成することも可能である。
【００４１】
なお、本例では、商品名称欄２１が裏面２の上部に設けられているが、このように裏面２の上部に限定されることなく、裏面２の長手方向（矢印Ａ方向）のいずれかの端部である、裏面２の下部に設けることも可能である。
【００４２】
商品名称欄２１を形成するための塗料の色彩とは異なる他の色彩の塗料が塗布されている企業広告欄２２には、本考案であるルーズリーフ紙１を使用する消費者、特に学生に対していろいろな企業からの情報を掲載（記載）することになる。例えば、企業からのアルバイトの募集であるとか、飲食店等からの学生のための特別割引情報であるとか、さらには企業からの求人情報といった情報が掲載（記載）されることになる。このような企業からの情報は文字やデザインにより本考案であるルーズリーフ紙１を消費者、特に学生に興味を与えられるように種々の色彩や変わったデザインを用い企業広告欄２２を魅力あるものとすることになる。
【００４３】
図３には、本考案であるルーズリーフ紙１の表面３が示されている。表面３は、ルーズリーフ紙１を図３に示すように、矢印Ｂ方向に沿って左側で縦方向（矢印Ａ方向）に、表面３及び裏面２の長手方向の一方の端部１ｃに沿って、一列に表面３から裏面２を貫通する複数の孔１１である綴じ代１２がある状態である。また、表面３は、図３に示すように、綴じ代１２と表面３の縁部であるルーズリーフ紙１の縁部１ａ、１ｂ、１ｄで囲まれており、表面３に書き込みが可能な書き込み欄３１が設けられている。書き込み欄３１は、図３に示すように、表面３の長手方向の端部１ｃ、１ｄを横断する方向に罫線３２が複数設けられ、表面３の長手方向の端部１ｃ、１ｄを横断する方向に設けられた罫線３２同士で挟まれた空欄は６．５ｍｍ間隔で、３５設けられている。
【００４４】
出願人の実験結果から、人が最も書き易く、読み易い欄（空欄）の幅（罫線同士の間隔）は６．５ｍｍであることがわかっており、また、その書き易さ、読み易さに合わせて用紙（ルーズリーフ紙１）での欄（空欄）の数（行数）も３５行であることがわかっているため、本考案のルーズリーフ紙１の表面３においても空欄は６．５ｍｍ間隔で、３５行設けている。
【００４５】
つぎに、本考案であるルーズリーフ紙１の使用状況について説明する。ファイル５のリング状の金具５１を開状態（リング状の金具５１が開いて切り欠いた状態）にして、ルーズリーフ紙１の複数の孔１１を開状態のリング状の金具５１に通して、リング状の金具５１を閉状態（リング状の金具５１の開いて切り欠いた状態から閉じて連続したリング状の状態５１）にしてルーズリーフ紙１をファイル５に綴じる。多数のルーズリーフ紙１をファイル５に綴じてファイル５を開くと図５に示す状態となる。この状態であれば、ファイル５を使用する人の右側にはルーズリーフ紙１の表面３があり、左側にはルーズリーフ紙１の裏面２がある。
【００４６】
それ故、このファイル５を使用する人、例えば、学生は右側のルーズリーフ紙１の表面３の罫線３２により形成されている書き込み欄３１に書き込みを行うことができるとともに、このままこの状態であれば右側の裏面２の企業情報欄である、商品名称欄２１と企業広告欄２２が見易い状態となっている。特に、企業情報欄２２に記載されているデザイン等がこのファイル５を使用する人、例えば、学生に対して強いイメージを与えることが可能になる。そして、ファイル５においてルーズリーフ紙１の縁部１ｄ側（表面３及び裏面２の長手方向の他方の端部側）をルーズリーフ紙１の縁部１ｃ（表面３及び裏面２の長手方向の一方の端部）を中心にして回動することでつぎの頁のルーズリーフ紙１の商品名称欄２１と企業広告欄２２を見ることになる。
【００４７】
つまり、ルーズリーフ紙１の裏面２では、ルーズリーフ紙１が捲られる毎に、このファイル５を使用する人、例えば、学生への企業からの情報の提供を行うことになる。そして、このファイル５を使用する人、例えば、学生はこのようにして、ファイル５に綴じられているルーズリーフ紙１を見ながら自分にとって不要と考えるルーズリーフ紙１は抜き取り廃棄したり、必要と考える別のルーズリーフ紙１を新たにファイル５に差し込み加えることになる。
【００４８】
図６には、本考案である別の態様のルーズリーフ紙１０が示されている。本考案であるルーズリーフ紙１０の基本な構成は、ルーズリーフ紙１と同じである。図６に示すように、ルーズリーフ紙１０の長手方向の縁部１０ｃ、１０ｄは互いに対向して平行になっており、長手方向の縁部１０ｃ、１０ｄを横断するように伸びている縁部１０ａ、１０ｂも互いに対向して平行になっている。ルーズリーフ紙１０の一方の長手方向側の端部１０ｃに沿って、一列に設けられた表面３から裏面２を貫通する複数の孔１１がルーズリーフ紙１０の綴じ代１２を形成している。そして、綴じ代１２によりファイル５のリング状の金具５１を開状態、或いは閉状態にすることでルーズリーフ紙１０の抜き差しを自由に行えることになる。
【００４９】
図６に示すルーズリーフ紙１０の表面３及び裏面２には、ルーズリーフ紙１０の表面３及び裏面２の長手方向のいずれかの端部側である下部側に塗料を塗布することにより、企業からの情報を記載するための企業情報欄２５が設けられている。本例では企業情報欄２５は、企業がルーズリーフ紙を使用する者に伝えたい情報を記載（掲載）する企業広告欄２７としている。ただし、企業広告欄２７に限定されることになく商品名称欄とすることも可能である。
【００５０】
ルーズリーフ紙１０の表面３及び裏面２の、綴じ代１２、ルーズリーフ紙１０の縁部１０ａ、１０ｄ（ルーズリーフ紙１０の表面３及び裏面２の縁部１０ａ、１０ｄ）、及び企業情報欄２５で囲まれたルーズリーフ紙１０の表面３及び裏面２に書き込みが可能な書き込み欄３１が設けられている。図６に示す、本例のルーズリーフ紙１０の書き込み欄３１は、図３に示すルーズリーフ紙１の書き込み欄３１と同様に、表面３の長手方向の端部１０ｃ、１０ｄを横断する方向に罫線３２が複数設けられ、表面３の長手方向の端部１０ｃ、１０ｄを横断する方向に設けられた罫線３２同士で挟まれた空欄は６．５ｍｍ間隔で複数設けられている。ただし、罫線３２同士で挟まれた空欄は６．５ｍｍに限定されるものではない。
【００５１】
図７には、本考案であるさらに別の態様のルーズリーフ紙２０が示されている。本考案であるルーズリーフ紙２０の基本な構成は、ルーズリーフ紙１、ルーズリーフ紙１０と同じである。特に、本考案であるルーズリーフ紙２０のルーズリーフ紙１０と異なる構成を中心に説明する。図７に示すように、ルーズリーフ紙２０の長手方向の縁部２０ｃ、２０ｄは互いに対向し、長手方向の縁部２０ｃ、２０ｄを横断するように伸びている縁部２０ａ、２０ｂも互いに対向している。ルーズリーフ紙２０の一方の長手方向側の端部２０ｃに沿って、ルーズリーフ紙２０を貫通する複数の孔１１がルーズリーフ紙１の綴じ代１２を形成している。そして、綴じ代１２によりファイル５のリング状の金具５１を開状態、或いは閉状態にすることでルーズリーフ紙１０の抜き差しを自由に行えることになる。
【００５２】
図７に示すルーズリーフ紙１０の表面３及び裏面２には、ルーズリーフ紙１０の表面３及び裏面２の長手方向のいずれかの端部側である上部側に塗料を塗布することにより、企業からの情報を記載するための企業情報欄２６が設けられている。本例では企業情報欄２６は、企業がルーズリーフ紙を使用する者に伝えたい情報を記載（掲載）する企業広告欄２８としている。ただし、企業広告欄２８に限定されることになく商品名称欄とすることも可能である。
【００５３】
ルーズリーフ紙２０の表面３及び裏面２の、綴じ代１２、ルーズリーフ紙２０の縁部２０ａ、２０ｄ（ルーズリーフ紙２０の表面３及び裏面２の縁部２０ａ、２０ｄ）、及び企業情報欄２６で囲まれたルーズリーフ紙２０の表面３及び裏面２に書き込みが可能な書き込み欄３１が設けられている。図７に示す、本例のルーズリーフ紙２０の書き込み欄３１は、図３に示すルーズリーフ紙１の書き込み欄３１と同様に、表面３の長手方向の端部１０ｃ、１０ｄを横断する方向に罫線３２が複数設けられ、表面３の長手方向の端部１０ｃ、１０ｄを横断する方向に設けられた罫線３２同士で挟まれた空欄は６．５ｍｍ間隔で複数設けられている。ただし、罫線３２同士で挟まれた空欄は６．５ｍｍに限定されるものではない。
【００５４】
以上の構成のルーズリーフ紙１０、２０は、図６、図７に示すように、表面３及び裏面２に書き込み欄３１が設けられているので書き込みのためのスペースが大幅に確保されており、ルーズリーフ紙を使用する者、特に学生のようにルーズリーフ紙を使用する者にとってはノートとしての機能を充分に発揮することが可能である。また、書き込み欄３１と企業情報欄２５、２６（企業広告欄２７、２８）とが同一面（表面３及び裏面２）にあるので、ルーズリーフ紙１０、２０をファイル５に綴じて、ファイル５を開いたときでも、ルーズリーフ紙を使用する者が書き込み作業を行うときでも、書き込み欄３１と同一面（表面３及び裏面２）にある企業情報欄２５、２６（企業広告欄２７、２８）からは企業からの情報を発信し続けることになる。
【００５５】
本考案であるルーズリーフ紙１の紙の種類は、特に限定されず、再生紙を用いることも可能である。また、本例では、Ａ４サイズのルーズリーフ紙１を用いて説明したが、本考案のルーズリーフ紙１はＡ４サイズに限定されることなく、他のサイズであるＡ５、Ｂ４等であってもよい。
【図面の簡単な説明】
【００５６】
【図１】本考案であるルーズリーフ紙の裏面を示す説明図である。（ａ）は、本考案であるルーズリーフ紙の裏面の全体を示す説明図である。（ｂ）は、本考案であるルーズリーフ紙の裏面の商品名称欄の近傍を示す説明図である。
【図２】ルーズリーフ紙の裏面の商品名称欄を示す説明図である。（ａ）は、ルーズリーフ紙の裏面の商品名称欄の変形例を示す説明図である。（ｂ）は、ルーズリーフ紙の裏面の商品名称欄の変形例を示す説明図である。
【図３】本考案であるルーズリーフ紙の表面を示す説明図である。
【図４】ルーズリーフ紙の商品名称欄に記載される、凸状部の文字を示す説明図である。
【図５】ファイルに綴じた本考案であるルーズリーフ紙の使用状況を示す説明図である。
【図６】本考案である別の態様のルーズリーフ紙を示す説明図である。（ａ）は、本考案である別の態様のルーズリーフ紙の裏面を示す説明図である。（ｂ）は、本考案である別の態様のルーズリーフ紙の表面を示す説明図である。
【図７】本考案であるさらに別の態様のルーズリーフ紙を示す説明図である。（ａ）は、本考案であるさらに別の態様のルーズリーフ紙の裏面を示す説明図である。（ｂ）は、本考案であるさらに別の態様のルーズリーフ紙の表面を示す説明図である。
【図８】特許文献１に示す、シール付き用紙の説明図である。
【符号の説明】
【００５７】
１、１０、２０…ルーズリーフ紙、１ａ、１ｂ、１ｃ、１ｄ、１０ａ、１０ｂ、１０ｃ、１０ｄ、２０ａ、２０ｂ、２０ｃ、２０ｄ…縁部、１１…複数の孔、１２…綴じ代
２…裏面、２１…商品名称欄、２１ａ…文字、２１ｂ…凸状部、２２、２７、２８…企業広告欄、２３…仕切線、２４、２５、２６…企業情報欄
３…表面、３１…書き込み欄、３２…罫線
５…ファイル、５１…リング状の金具
【図１】
0003141087.tif 000003
【図２】
0003141087.tif 000004
【図３】
0003141087.tif 000005
【図４】
0003141087.tif 000006
【図５】
0003141087.tif 000007
【図６】
0003141087.tif 000008
【図７】
0003141087.tif 000009
【図８】
0003141087.tif 000010